(57)【要約】【課題】複数のＲＦＩＤタグから所望のＲＦＩＤタグを容易に探索することが可能なＲＦＩＤタグを提供することを目的とする。【解決手段】リーダライタは、所望の書籍を探索するために、当該書籍に貼付されているＲＦＩＤタグに記憶されている固有ＩＤを指定した信号をＲＦＩＤタグに対して送信する。ＲＦＩＤタグは、固有ＩＤ指定信号を受信した場合（Ｓ３１：ＹＥＳ、Ｓ３２：ＹＥＳ）、固有ＩＤ返答信号を返信する（Ｓ３３）。リーダライタは、固有ＩＤ返答信号を受信した場合に、電波の放射圏内に所望の書籍が存在すると判断し、ＲＦＩＤタグが備える有機ＥＬ素子に所望の図柄を表示させるために、識別コード信号を送信する。固有ＩＤ指定信号を受信したＲＦＩＤタグは、次いで識別コード信号を受信した場合（Ｓ３５：ＹＥＳ）、識別コードに対応する図柄を選択して有機ＥＬ素子に表示させる（Ｓ３７）。【選択図】図６
2009301375.tif 000002
【特許請求の範囲】
【請求項１】
アンテナと、
前記アンテナに対して電波が照射された場合に発生する電気信号により駆動して発光する有機ＥＬ（Ｅｌｅｃｔｒｏｌｕｍｉｎｅｓｃｅｎｃｅ）発光素子と、
ＩＤを記憶する記憶手段と、
前記アンテナに発生した電気信号を復調して受信する受信手段と、
前記受信手段にて復調し受信した情報に含まれているＩＤと、前記記憶手段に記憶されているＩＤとが所定の関係を満たす場合に、前記有機ＥＬ発光素子を制御して像を表示させる表示制御手段と
を備えたＲＦＩＤタグ。
【請求項２】
前記有機ＥＬ発光素子は、前記ＲＦＩＤタグの製造工程において、前記アンテナ、前記記憶手段、前記受信手段、及び前記表示制御手段と同時に基材上に形成されることを特徴とする請求項１に記載のＲＦＩＤタグ。
【発明の詳細な説明】
【技術分野】
【０００１】
本発明はＲＦＩＤタグに関する。そしてより詳細には、有機ＥＬ発光素子を備えたＲＦＩＤタグに関する。
【背景技術】
【０００２】
近年、ＲＦＩＤ（Ｒａｄｉｏ  Ｆｒｅｑｕｅｎｃｙ  ＩＤｅｎｔｉｆｉｃａｔｉｏｎ）タグを物品に貼り付け、これをリーダライタにて読み取ることにより、物品の流通管理が行われている。また、ＲＦＩＤタグにＬＥＤやブザーを付加し、リーダライタにて特定のＲＦＩＤタグのＬＥＤやブザーを反応させて報知を実行させることにより、複数のＲＦＩＤタグの中から所望のＲＦＩＤタグを見つけ出すことが可能なＲＦＩＤタグ及び当該ＲＦＩＤタグを使用した物品検索システム、物品収納システムが提案されている。
【特許文献１】特開２００６−２４０１８号公報
【発明の開示】
【発明が解決しようとする課題】
【０００３】
しかしながら上述のシステムでは、ＲＦＩＤタグが有するＬＥＤやブザーからの報知態様は共通であるため、複数のリーダライタより、それぞれ所望のＲＦＩＤタグに付加されたＬＥＤやブザーを同時に反応させ報知を実行させた場合に、報知を行ったＲＦＩＤタグどうしで区別ができない。そのためユーザは、所望のＲＦＩＤタグを特定することができなくなってしまうという問題点があった。
【０００４】
本発明は上記問題点を解決するためになされたものであり、複数のＲＦＩＤタグから所望のＲＦＩＤタグを容易に探索することが可能なＲＦＩＤタグを提供することを目的とする。
【課題を解決するための手段】
【０００５】
上記課題を解決するために、請求項１に係る発明のＲＦＩＤタグは、アンテナと、前記アンテナに対して電波が照射された場合に発生する電気信号により駆動して発光する有機ＥＬ（Ｅｌｅｃｔｒｏｌｕｍｉｎｅｓｃｅｎｃｅ）発光素子と、ＩＤを記憶する記憶手段と、前記アンテナに発生した電気信号を復調して受信する受信手段と、前記受信手段にて復調し受信した情報に含まれているＩＤと、前記記憶手段に記憶されているＩＤとが所定の関係を満たす場合に、前記有機ＥＬ発光素子を制御して像を表示させる表示制御手段と
を備えている。
【０００６】
また、請求項２に係る発明のＲＦＩＤタグは、請求項１に記載の発明の構成に加えて、前記有機ＥＬ発光素子は、前記ＲＦＩＤタグの製造工程において、前記アンテナ、前記記憶手段、前記受信手段、及び前記表示制御手段と同時に基材上に形成されることを特徴とする。
【発明の効果】
【０００７】
請求項１に係る発明のＲＦＩＤタグでは、ＲＦＩＤタグが発光素子として有機ＥＬ発光素子を備えることにより、ＲＦＩＤタグより複数の異なる報知を実行させることが可能となる。これにより、複数のＲＦＩＤタグのなかから所望のＲＦＩＤタグを探索することが可能となる。
【０００８】
また、請求項２に係る発明のＲＦＩＤタグでは、請求項１に記載の発明の効果に加えて、有機ＥＬ発光素子の製造プロセスと、アンテナ、記憶手段、受信手段、及び表示制御手段の製造プロセスとを共通化することにより、容易かつ安価に有機ＥＬ発光素子を基材上に形成させることが可能となる。
【発明を実施するための最良の形態】
【０００９】
以下、本発明を具体化したＲＦＩＤタグ１の実施の形態について、図面を参照して説明する。なお、これらの図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００１０】
はじめに、図１を参照して、ＲＦＩＤタグ１及びリーダライタ２１（２１Ａ、２１Ｂ）を使用したシステムの一例である、書籍探索システム５０の概要について説明する。図１は、書籍探索システム５０を示した模式図である。
【００１１】
図１に示すように、背表紙にＲＦＩＤタグ１が貼付された状態の書籍１００が、書棚に複数陳列されている。ＲＦＩＤタグ１には、有機ＥＬ（Ｅｌｅｃｔｒｏｌｕｍｉｎｅｓｃｅｎｃｅ）素子７が設けられており、所望の像を表示させることが可能な状態となっている。そしてユーザは、リーダライタ２１を使用し、所望の書籍に貼付された有機ＥＬ素子７より像を表示させることによって、当該書籍を探索する。
【００１２】
書籍探索の具体的方法について説明する。ユーザ（甲）ははじめに、探索したい書籍（以下「探索書籍」という。）１００Ａの情報（表題（「○○○○」）、図書番号等、以下「書籍関連情報」という。）をリーダライタ２１Ａ（ＩＤ：Ａ）の入力部２７Ａより入力する。そして、リーダライタ２１Ａにおける電波が放射する放射面（図１中リーダライタ２１Ａの紙面手奥行き側）を書棚側に向けた状態とし、探索を開始する。
【００１３】
探索が開始されると、リーダライタ２１Ａのアンテナ（Ｒ／Ｗアンテナ２５（図４参照））より、探索書籍１００Ａに貼付されているＲＦＩＤタグ１Ａを指定した信号電波が放射される。この状態でユーザ（甲）は、リーダライタ２１Ａの向きを徐々に変化させながら、陳列されている状態の書籍１００に対して順番に信号電波を照射させる。そして、書棚に陳列された書籍１００のうち、探索書籍１００Ａの背表紙に貼付されているＲＦＩＤタグ１Ａに信号電波が照射される。
【００１４】
信号電波が照射されたＲＦＩＤタグ１Ａは、信号電波を復調した信号を基に、自身がリーダライタ２１Ａより指定されているか否かを判断する。そして、指定されていると判断したＲＦＩＤタグ１Ａは、リーダライタ２１ＡのＩＤが特定できるような表示（例えば、リーダライタ２１ＡのＩＤである「Ａ」）を有機ＥＬ素子７Ａより表示させる。これによりユーザ（甲）は、複数の書籍１００のうち、「Ａ」が表示されているＲＦＩＤタグ１Ａが貼付された探索書籍１００Ａ（表題：「○○○○」）を所望の書籍として認識することが可能となる。
【００１５】
また、他のユーザ（乙）が、ユーザ（甲）と同時に、別のリーダライタ２１Ｂ（ＩＤ：Ｂ）を用いて異なる書籍１００Ｂ（表題：「△△△△」）を探索するような場合を想定する。このような場合、リーダライタ２１Ｂからの信号電波が照射されたＲＦＩＤタグ１Ｂは、リーダライタ２１ＢのＩＤが特定できるような表示（例えば、リーダライタ２１ＢのＩＤである「Ｂ」）を有機ＥＬ素子７より表示させる。これによりユーザ（乙）は、別のユーザ（甲）がリーダライタ２１Ａを使用して探索書籍１００Ａを探索している最中であっても、「Ｂ」が表示されているＲＦＩＤタグ１Ｂが貼付された書籍１００Ｂ（表題：「△△△△」）を所望の書籍として認識することが可能となる。
【００１６】
このようにＲＦＩＤタグ１は、信号電波を送信したリーダライタ２１を特定できるように、表示内容の図柄を変えて有機ＥＬ素子７より表示させる。従って、複数のユーザが同時に書籍を探索するような場合であっても、ユーザは有機ＥＬ素子７を視認することにより、ＲＦＩＤタグ１がどのリーダライタ２１より探索されている状態であるかを確認することが可能となる。これによりユーザは、所望の書籍を探索することが可能となる。
【００１７】
次に、ＲＦＩＤタグ１及びリーダライタ２１の電気的構成について、図２〜図４を参照して説明する。図２は、ＲＦＩＤタグ１の電気的構成を示す模式図であり、図３は、ＲＦＩＤタグ１の電源構成を示す模式図であり、図４は、リーダライタ２１の電気的構成を示す模式図である。
【００１８】
はじめに、図２を参照し、ＲＦＩＤタグ１の電気的構成について説明する。図２に示すように、ＲＦＩＤタグ１は、通信処理や判断処理、表示処理等、ＲＦＩＤタグ１の全体の制御を司るタグ制御部２と、ループ形状を有するアンテナであるタグアンテナ５と、タグアンテナ５より送信可能な変調信号を生成するタグ変調部３と、タグアンテナ５より受信した電気信号を復調するタグ復調部４と、有機ＥＬ素子７と、不揮発性記憶素子であるタグ記憶部８と、タグ電源供給部６とから構成されている。
【００１９】
タグアンテナ５は、所謂ループアンテナにて構成されている。そして電波が照射された場合に、電磁誘導によりタグアンテナ５に電流を生じさせることが可能であるとともに、タグアンテナ５に電気信号が送信されることにより、所望の信号電波をタグアンテナ５より放射させることが可能となるように構成されている。なおタグアンテナ５は、所定の周波数にて共振現象が発生するようにタグアンテナ５のループ径が調整されている。これにより、リーダライタ２１より放射された信号電波がタグアンテナ５に対して照射された場合に、効率よく電気信号を取り出すことが可能となっている。また、タグ変調部３より電気信号が送信された場合に、信号電波を効率よく放射させることが可能となっている。
【００２０】
なお、タグアンテナ５にて送受信可能な電波の周波数としては、リーダライタ２１と通信を行うことが可能であれば、特定の周波数に限定されず、さまざまな周波数が使用可能であることは勿論である。例えば、１３．５６ＭＨｚ帯の周波数や、２．４ＧＨｚ帯の周波数の電波が使用される。
【００２１】
またタグ復調部４は、タグアンテナ５に信号電波が照射されることにより発生した電気信号を復調するために設けられており、タグアンテナ５と電気的に接続している。また、復調した電気信号をタグ制御部２に対して送信することが可能なように、タグ復調部４はタグ制御部２と電気的に接続している。またタグ変調部３は、タグ制御部２より送信された電気信号を、タグアンテナ５を介して送信させることが可能な変調信号に変調するために設けられており、タグ制御部２及びタグアンテナ５と電気的に接続している。
【００２２】
なお、タグ変調部３における変調方式、及びタグ復調部４における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００２３】
またタグ記憶部８には、固有ＩＤ記憶領域９が設けられており、固有ＩＤが記憶されている。固有ＩＤは、ＲＦＩＤタグ１に固有のＩＤであり、ＲＦＩＤタグを識別して特定するために使用されるＩＤである。またタグ記憶部８には、表示図柄情報記憶領域１０が設けられており、表示図柄が記憶されている。表示図柄には識別コードが対応付けられて記憶されており、識別コードの情報から表示図柄を特定するために使用される。そして、タグ制御部２よりタグ記憶部８に記憶されている情報を参照することが可能なように、タグ記憶部８はタグ制御部２と電気的に接続している。
【００２４】
また有機ＥＬ素子７は、タグ制御部２からの制御信号に基づいて図柄を表示させることが可能なように、タグ制御部２と電気的に接続している。またタグ電源供給部６は、タグアンテナ５に信号電波が照射されることにより発生した電流を蓄電する。そして蓄電された電力は、タグ制御部２、タグ変調部３、タグ復調部４、有機ＥＬ素子７、及びタグ記憶部８を駆動させる電力として使用される。
【００２５】
図３を参照し、ＲＦＩＤタグ１の電源構成について説明する。図３に示すように、タグ電源供給部６は、タグアンテナ５にて発生した電流を蓄電する。そして、タグ制御部２、タグ変調部３、タグ復調部４、有機ＥＬ素子７、及びタグ記憶部８を駆動させるために、これらの機能ブロックに電力を供給する。これによりＲＦＩＤタグ１の各機能ブロックは駆動し、各種処理を実行する。タグ電源供給部６は、電流を蓄電可能な従来公知のデバイスにより構成されており、例えばコンデンサ等が挙げられる。
【００２６】
なお、上述のＲＦＩＤタグ１を構成する各機能ブロック（タグ制御部２、タグ変調部３、タグ復調部４、タグアンテナ５、タグ電源供給部６、有機ＥＬ素子７、タグ記憶部８）は、各々の基本構造は同一となる。従って、ＲＦＩＤタグ１の製造時において、同一の製造プロセスにより同時に基材上に形成させることが可能となる。これにより、製造工程を簡略化して製造コストを抑制し、ＲＦＩＤタグ１の製品コストを低く抑えることが可能となっている。
【００２７】
なお、各機能ブロックを基材上に形成させる方法としては特に限定されず、従来公知の方法を用いることができる。機能ブロックの形成方法としては、例えば、印刷法（スクリーン印刷法）、真空蒸着法、ディップコート法等が挙げられる。また、材料として導電性有機高分子を使用し、マイクロコンタクトプリント法により各機能ブロックを基材上に形成させることによって、簡易に各機能ブロックを基材上に形成させることが可能となる。また、材料として導電性インクを使用し、インクジェット法により各機能ブロックを基材上に形成させることによって、簡易に各機能ブロックを基材上に形成させることが可能となる。
【００２８】
なお、本実施の形態では、タグ制御部２、タグ変調部３、タグ復調部４、タグ電源供給部６、及びタグ記憶部８は、ＲＦＩＤタグ１を構成する独立した機能ブロックとなっているが、この構成に限定されない。従って、これらの機能ブロックが１チップ化されたＲＦＩＤチップにより、上述の機能を実現する構成であってもよい。
【００２９】
次に、図４を参照して、リーダライタ２１の電気的構成について説明する。図４に示すように、リーダライタ２１は、通信処理や判断処理等、リーダライタ２１の全体の制御を司るＲ／Ｗ制御部２２と、ループ形状を有するＲ／Ｗアンテナ２５と、Ｒ／Ｗアンテナ２５より送信可能な変調信号を生成するＲ／Ｗ変調部２３と、タグアンテナ５より受信した信号を復調するＲ／Ｗ復調部２４と、入力部２７と、不揮発性記憶素子であるＲ／Ｗ記憶部２８とから構成されている。
【００３０】
Ｒ／Ｗアンテナ２５は、所謂ループアンテナにて構成されている。そして電波が照射された場合に、電磁誘導によりＲ／Ｗアンテナ２５に電流を生じさせることが可能であるとともに、Ｒ／Ｗアンテナ２５に電気信号が送信されることにより、所望の信号電波をＲ／Ｗアンテナ２５より放射させることが可能となるように構成されている。なおＲ／Ｗアンテナ２５は、所定の周波数にて共振現象が発生するようにＲ／Ｗアンテナ２５のループ径が調整されている。これにより、ＲＦＩＤタグ１より放射された信号電波がＲ／Ｗアンテナ２５に対して照射された場合に、効率よく電気信号を取り出すことが可能となっている。また、Ｒ／Ｗ変調部２３より電気信号が送信された場合に、信号電波を効率よく放射させることが可能となっている。
【００３１】
なお、Ｒ／Ｗアンテナ２５にて送受信可能な電波の周波数は、ＲＦＩＤタグ１と通信を行うことが可能な周波数であれば、特定の周波数に限定されず、さまざまな周波数が使用可能であることは勿論である。例えば、１３．５６ＭＨｚ帯の周波数や、２．４ＧＨｚ帯の周波数の電波が使用される。
【００３２】
またＲ／Ｗ復調部２４は、Ｒ／Ｗアンテナ２５に電波が照射されることにより発生した電気信号を復調するために設けられており、Ｒ／Ｗアンテナ２５と電気的に接続している。また、復調した電気信号をＲ／Ｗ制御部２２に対して送信することが可能なように、Ｒ／Ｗ復調部２４はＲ／Ｗ制御部２２と電気的に接続している。またＲ／Ｗ変調部２３は、Ｒ／Ｗ制御部２２より送信された電気信号を、Ｒ／Ｗアンテナ２５を介して送信させることが可能な変調信号に変調するために設けられている。そしてＲ／Ｗ変調部２３は、Ｒ／Ｗ制御部２２及びＲ／Ｗアンテナ２５と電気的に接続している。
【００３３】
なお、Ｒ／Ｗ変調部２３における変調方式、及びＲ／Ｗ復調部２４における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００３４】
また入力部２７は、ユーザが探索する書籍の書籍関連情報を入力するために設けられており、押ボタンやタッチセンサ等により構成されている。
【００３５】
またＲ／Ｗ記憶部２８には、固有ＩＤ割当情報記憶領域２９が設けられており、固有ＩＤ割当情報が記憶されている。固有ＩＤ割当情報は、ＲＦＩＤタグ１のタグ記憶部８（図２参照）に記憶された固有ＩＤと、当該ＲＦＩＤタグ１が貼付されている書籍の書籍関連情報とが対応付けられた情報である。またＲ／Ｗ記憶部２８には、識別コード情報記憶領域３０が設けられており、識別コード情報が記憶されている。識別コード情報は、ＲＦＩＤタグ１の有機ＥＬ素子７に表示させる図柄と、当該図柄に対応する識別コードの情報である。
【００３６】
固有ＩＤ割当情報は、入力部２７を介してユーザにより探索書籍の書籍関連情報が入力された場合において、該当する書籍に貼付されているＲＦＩＤタグ１の固有ＩＤを検索するために使用される。また、識別コード情報は、ＲＦＩＤタグ１が備える有機ＥＬ素子７に図柄を表示させる場合において、図柄を特定するために使用される。そして、Ｒ／Ｗ制御部２２よりＲ／Ｗ記憶部２８に記憶されている各情報を参照することが可能なように、Ｒ／Ｗ記憶部２８はＲ／Ｗ制御部２２と電気的に接続している。
【００３７】
次に、ＲＦＩＤタグ１のタグ制御部２、及びリーダライタ２１のＲ／Ｗ制御部２２により実行される処理について、図５及び図６を参照して説明する。図５は、リーダライタ２１のＲ／Ｗ制御部２２にて実行されるＲＦＩＤタグ探索処理のフローチャートであり、図６は、ＲＦＩＤタグ１のタグ制御部２にて実行される報知処理のフローチャートである。
【００３８】
なお、リーダライタ２１のＲ／Ｗ制御部２２は、電源投入状態にて図５に示す処理を繰り返し実行する。また、ＲＦＩＤタグ１のタグ制御部２は、リーダライタ２１より放射された信号電波がタグアンテナ５に照射され、タグ電源供給部６（図３参照）にて駆動電力が生成されタグ制御部２に電力が供給された場合に、図６に示す処理を実行する。
【００３９】
図５に示すように、リーダライタ２１のＲ／Ｗ制御部２２は、電源が投入されている状態で、入力部２７を監視し、ユーザにより入力部２７を介して入力操作がなされるまで待機している（Ｓ１１：ＮＯ）。
【００４０】
そして、入力部２７を介してユーザにより探索書籍に関連する書籍関連情報の入力操作がなされ、これをＲ／Ｗ制御部２２が検出した場合（Ｓ１１：ＹＥＳ）、Ｒ／Ｗ制御部２２は、Ｒ／Ｗ記憶部２８の固有ＩＤ割当情報記憶領域２９に記憶されている固有ＩＤ割当情報を参照し、入力された書籍関連情報に相当する書籍に貼付されているＲＦＩＤタグ１の固有ＩＤを特定する（Ｓ１２）。
【００４１】
次いでユーザにより、リーダライタ２１におけるＲ／Ｗアンテナ２５が配置される電波放射面が、書棚側に向けられる。そしてこの状態で、信号電波の放射圏内に、探索書籍に貼付された状態のＲＦＩＤタグ（以下、「探索ＲＦＩＤタグ」という。）が存在するか否かを確認するための信号電波を送信する。具体的には、リーダライタ２１のＲ／Ｗ制御部２２は、Ｓ１２にて特定した固有ＩＤを指定した信号である固有ＩＤ指定信号をＲ／Ｗアンテナ２５より送信させるために、Ｒ／Ｗ変調部２３に対して固有ＩＤ指定信号を送信する（Ｓ１３）。
【００４２】
Ｒ／Ｗ制御部２２より送信された固有ＩＤ指定信号は、Ｒ／Ｗ変調部２３において、Ｒ／Ｗアンテナ２５より放射させることが可能な周波数に変調される。そして変調された固有ＩＤ指定信号が、Ｒ／Ｗアンテナ２５より信号電波として放射される。
【００４３】
一方、ＲＦＩＤタグ１では、リーダライタ２１より放射された信号電波がタグアンテナ５に照射された場合、タグ電源供給部６においてタグ制御部２等の駆動のために必要な電力が生成される。これによりタグ制御部２が起動し、図６における処理を開始する。
【００４４】
図６に示すように、起動したＲＦＩＤタグ１のタグ制御部２は、はじめに、タグアンテナ５により受信し、タグ復調部４にて復調された結果の復調信号を受信するまで待機している。そして復調信号を受信し、受信した信号がリーダライタ２１より送信された固有ＩＤ指定信号であると判断した場合には（Ｓ３１：ＹＥＳ）、次いで、タグ記憶部８の固有ＩＤ記憶領域９に記憶されている固有ＩＤを読み出し、受信した固有ＩＤ指定信号にて指定された固有ＩＤと比較する。
【００４５】
受信した固有ＩＤ指定信号にて指定された固有ＩＤと、読みだした固有ＩＤとが一致する場合には（Ｓ３２：ＹＥＳ）、Ｓ１３（図５参照）の処理に基づいてリーダライタ２１より送信された固有ＩＤ指定信号であると判断する。この場合タグ制御部２は、リーダライタ２１に対して返答信号を返信し、リーダライタ２１に対して固有ＩＤ指定信号を受信した旨を通知する必要がある。そこでタグ制御部２は、読みだした固有ＩＤの情報を含む固有ＩＤ返答信号をタグ変調部３に対して送信する（Ｓ３３）。
【００４６】
タグ制御部２より送信された固有ＩＤ返答信号は、タグ変調部３において、タグアンテナ５より放射させることが可能な周波数に変調される。そして、変調された固有ＩＤ返答信号が、タグアンテナ５より信号電波として放射される。
【００４７】
一方タグ制御部２は、復調信号がリーダライタ２１より送信された固有ＩＤ指定信号でない場合には（Ｓ３１：ＮＯ）、Ｓ３１に戻って引き続き継続して固有ＩＤ指定信号を受信するまで待機する。また、復調信号が固有ＩＤ指定信号である場合であっても（Ｓ３１：ＹＥＳ）、受信した固有ＩＤ指定信号にて指定された固有ＩＤと、タグ記憶部８の固有ＩＤ記憶領域９より読みだした固有ＩＤとが一致しない場合には（Ｓ３２：ＮＯ）、Ｓ３１に戻って引き続き継続して固有ＩＤ指定信号を受信するまで待機する。
【００４８】
図５に示すように、固有ＩＤ指定信号を送信した（Ｓ１３参照）後のリーダライタ２１のＲ／Ｗ制御部２２は、ＲＦＩＤタグ１より固有ＩＤ返答信号を受信するまで継続して固有ＩＤ指定信号の送信処理を繰り返す（Ｓ１５：ＮＯ→Ｓ１３）。そして、ＲＦＩＤタグ１からの信号電波をＲ／Ｗアンテナ２５が受け、タグ復調部４にて復調され、復調された結果の復調信号が、Ｓ３３（図６参照）の処理に基づいてＲＦＩＤタグ１より送信された固有ＩＤ返答信号である場合には（Ｓ１５：ＹＥＳ）、次いでＲ／Ｗ制御部２２は、受信した固有ＩＤ返答信号に含まれている固有ＩＤと、Ｓ１２において特定した固有ＩＤとを比較する（Ｓ１７）。そして双方が一致する場合には（Ｓ１７：ＹＥＳ）、リーダライタ２１より放射された信号電波の放射圏内に、探索書籍及び探索ＲＦＩＤタグが存在していると判断する。
【００４９】
一方、復調された結果の復調信号が固有ＩＤ返答信号であっても（Ｓ１５：ＹＥＳ）、含まれている固有ＩＤが、Ｓ１２において特定した固有ＩＤと一致しない場合には（Ｓ１７：ＮＯ）、リーダライタ２１より放射されている信号電波の放射圏内に、探索書籍及び探索ＲＦＩＤタグが存在しておらず、探索対象外の書籍に貼付されているＲＦＩＤタグより返信された固有ＩＤ返信信号であると判断する。このような場合には、ユーザによりリーダライタ２１の向きが調整され、電波の放射方向が変更される。そして、Ｓ１３に戻り、信号電波の放射圏内に探索書籍及び探索ＲＦＩＤタグが存在する状態となるまで、上述の処理が繰り返し実行される。
【００５０】
なお、上述の処理においては、受信した固有ＩＤ指定信号にて指定された固有ＩＤと、Ｓ１２において特定した固有ＩＤとが一致するか否かを判断しているが、判断方法はこの方法に限定されない。従ってリーダライタ２１のＲ／Ｗ制御部２２は、受信した固有ＩＤ指定信号にて指定された固有ＩＤと、Ｓ１２にて特定した固有ＩＤとの関係が、所定規則に則っている場合に、リーダライタ２１より放射されている信号電波の放射圏内に、探索書籍及び探索ＲＦＩＤタグが存在していると判断してもよい。
【００５１】
Ｓ１７において、リーダライタ２１より放射されている電波の放射圏内に、探索書籍及び探索ＲＦＩＤタグが存在していると判断された場合（Ｓ１７：ＹＥＳ）、次いでリーダライタ２１のＲ／Ｗ制御部２２は、探索ＲＦＩＤタグが備える有機ＥＬ素子７に表示させる図柄（例えは、リーダライタ２１に割り当てられているＩＤ）を決定する。次いで、Ｒ／Ｗ記憶部２８の識別コード情報記憶領域３０に記憶されている識別コード情報を参照し、決定した図柄に相当する識別コードを特定する（なお以下においては、リーダライタ２１にＩＤ「Ａ」が割り当てられており、ＩＤ「Ａ」の文字を、探索ＲＦＩＤの有機ＥＬ素子７に表示させるものとする。また、「Ａ」に割り当てられている識別コードは「Ａ」であるとする。）。
【００５２】
次いでリーダライタ２１のＲ／Ｗ制御部２２は、特定した識別コード「Ａ」を含む識別コード信号をタグ変調部３に対して送信する（Ｓ１９）。送信された識別コード信号は、タグ変調部３において、タグアンテナ５より放射させることが可能な周波数に変調される。そして、変調された識別コード信号が、タグアンテナ５より信号電波として放射される。その後Ｒ／Ｗ制御部２２は、Ｓ１１に戻って上述の処理を繰り返し実行する。
【００５３】
一方、図６に示すように、ＲＦＩＤタグ１のタグ制御部２は、固有ＩＤ返答信号を送信した（Ｓ３３参照）後、タグアンテナ５により受信し、タグ復調部４にて復調された結果の復調信号を監視する。そして復調信号がリーダライタ２１より送信された識別コード信号である場合には（Ｓ３５：ＹＥＳ）、タグ制御部２は、Ｓ１９（図５参照）の処理に基づいてリーダライタ２１より有機ＥＬ素子７に図柄を表示させる旨の指示がなされたと判断する。そしてタグ制御部２は、タグ記憶部８の表示図柄情報記憶領域１０に記憶されている表示図柄情報を参照し、受信した識別コード「Ａ」に相当する図柄「Ａ」を特定する。そして、特定した図柄「Ａ」を有機ＥＬ素子７に表示させる（Ｓ３７）。そして、ＲＦＩＤタグ１のタグ制御部２は報知処理を終了する。
【００５４】
一方、タグ制御部２は、固有ＩＤ返答信号を送信した後、リーダライタ２１より識別コード信号を受信しなかった場合には（Ｓ３５：ＮＯ）、有機ＥＬ素子７に図柄を表示する必要はないので、特段処理を行うことなく報知処理を終了する。
【００５５】
以上説明したように、本実施の形態のＲＦＩＤタグ１は、有機ＥＬ素子７を備えているので、識別コードを指定することにより所望の図柄を有機ＥＬ素子７に表示させることが可能になる。これにより、異なるリーダライタより同時にＲＦＩＤタグ１に対して信号電波が送信され、これを受けた複数のＲＦＩＤタグ１が、それぞれ有機ＥＬ素子７より表示を行う場合であっても、ユーザは、有機ＥＬ素子にて表示される図柄の内容を視認することによって、自身の探索した書籍に貼付されている探索ＲＦＩＤタグを特定することが可能となる。
【００５６】
なお、図２における有機ＥＬ素子７が、本発明の「有機ＥＬ発光素子」に該当し、タグ記憶部８が、本発明の「記憶手段」に相当する。また、図６のＳ３１及びＳ３５において、タグ復調部４より復調信号を受信する処理を行うタグ制御部２が、本発明の「受信手段」に相当し、Ｓ３７において、有機ＥＬ素子７に図柄を表示させる処理を行うタグ制御部２が、本発明の「表示制御手段」に相当する。
【００５７】
なお、本発明は上記実施の形態に限定されるものではなく、種々の変更が可能である。
【００５８】
上記実施の形態では、有機ＥＬ素子７に表示させる図柄の一例として、リーダライタ２１に割り当てられているＩＤ「Ａ」としたが、表示させる内容はリーダライタ２１に割り当てられているＩＤに限定されない。従って、他の記号や文字、カラー表示等であってもよい。
【００５９】
また、上記実施の形態では、探索ＲＦＩＤタグ１の有機ＥＬ素子７より所定の図柄を表示させる場合において、リーダライタ２１は、最初に固有ＩＤ指定信号をＲＦＩＤタグ１に対して送信し、固有ＩＤ返答信号を受信することにより、探索ＲＦＩＤタグがリーダライタ２１からの信号電波の放射圏内に存在することを確認していた。しかしながら、探索ＲＦＩＤタグの有機ＥＬ素子７に所定の図柄を表示させる方法はこの方法に限定されない。従って、直接固有ＩＤと識別コードを指定した固有ＩＤ−識別コード信号を送信することにより、探索ＲＦＩＤタグに対して有機ＥＬ素子７より所定の図柄を表示させてもかまわない。
【００６０】
また、上記実施の形態では、ＲＦＩＤタグ１はタグアンテナ５を備えており、駆動電力の生成、及びリーダライタ２１との通信の際に、当該タグアンテナ５を使用する構成となっていた。しかしながら本発明は、上述の構成に限定されず、複数のアンテナを備えた構成であってもよい。例えばＲＦＩＤタグ１は、リーダライタ２１との通信を行う為の専用のアンテナと、駆動電力を生成する為の専用のアンテナを備えている構成であってもよいし、さらに、有機ＥＬ素子７を駆動させるために必要な電力を生成する為の専用のアンテナを備えている構成であってもよい。
【図面の簡単な説明】
【００６１】
【図１】書籍探索システム５０の模式図である。
【図２】ＲＦＩＤタグ１の電気的構成を示す模式図である。
【図３】ＲＦＩＤタグ１の電源構成を示す模式図である。
【図４】リーダライタ２１の電気的構成を示す模式図である。
【図５】リーダライタ２１のＲ／Ｗ制御部２２にて実行されるＲＦＩＤタグ探索処理のフローチャートである。
【図６】ＲＦＩＤタグ１のタグ制御部２にて実行される報知処理のフローチャートである。
【符号の説明】
【００６２】
１      ＲＦＩＤタグ
２      タグ制御部
３      タグ変調部
４      タグ復調部
５      タグアンテナ
６      タグ電源供給部
７      有機ＥＬ素子
８      タグ記憶部
２１    リーダライタ
２２    Ｒ／Ｗ制御部
２３    Ｒ／Ｗ変調部
２４    Ｒ／Ｗ復調部
２５    Ｒ／Ｗアンテナ
２７    入力部
２８    Ｒ／Ｗ記憶部
【図１】
2009301375.tif 000003
【図２】
2009301375.tif 000004
【図３】
2009301375.tif 000005
【図４】
2009301375.tif 000006
【図５】
2009301375.tif 000007
【図６】
2009301375.tif 000008